(57)【要約】【課題】  本発明は、蛍光インキで印刷された模倣防止情報の存在を、可視光線下では視認し難くすることにより、信頼性の高い模倣品防止効果を得ることを目的とする。【解決手段】  外側壁１と内側壁２の間に蛍光表示体５を位置させ、少なくとも外側壁１と内側壁２の一方を、透明かつ紫外線透過性とし、蛍光表示体５に、紫外線の照射により蛍光発光する蛍光インキで蛍光表示層７を形成し、蛍光表示層７の存在が可視光線では検知し難くし、高い模倣防止効果を得る。【選択図】図１
2011158503.tif 000002
【特許請求の範囲】
【請求項１】
合成樹脂製射出成形品である外側壁と内側壁の間に蛍光表示体を位置させた多重壁構造体であって、前記外側壁と内側壁の少なくとも一方を、透明かつ紫外線透過性とし、前記蛍光表示体に、紫外線の照射により蛍光発光する蛍光インキにより蛍光表示層を形成し、該蛍光表示層を可視光線で視認し難く構成した多重壁構造体。
【請求項２】
蛍光インキを透明として、蛍光表示層を可視光線で視認し難く構成した請求項１に記載の多重壁構造体。
【請求項３】
蛍光インキを蛍光表示層が形成される部分と同色として、前記蛍光表示層を可視光線で視認し難く構成した請求項１に記載の多重壁構造体。
【請求項４】
内面に蛍光表示体を固着した外側壁、もしくは外面に前記蛍光表示体を固着した内側壁の一方をインサート材として、他方をインサート成形した請求項１〜３の何れか１項に記載した多重壁構造体。
【請求項５】
外側壁もしくは内側壁への蛍光表示体の固着を、インモールド成形により達成した請求項１〜４の何れか１項に記載した多重壁構造体。
【請求項６】
外側壁の外面に、商品名や加飾模様等を表示する加飾表示層を有する加飾表示体を設けると共に、前記外側壁を不透明とした請求項１〜５の何れか１項に記載した多重壁構造体。
【請求項７】
商品名や加飾模様等を表示する加飾表示層を有する加飾表示体を、蛍光表示体と一体に設けた請求項１〜５の何れか１項に記載した多重壁構造体。
【請求項８】
一つのベースシートの外側に、商品名や加飾模様等を表示する加飾表示層を有する加飾表示体を形成すると共に、前記ベースシートの内側に蛍光表示体を形成し、前記ベースシートを不透明とした請求項７に記載した多重壁構造体。
【発明の詳細な説明】
【技術分野】
【０００１】
本発明は多重壁構造体、特に模倣品に係る判別機能が発揮されるように構成された多重壁構造体に関するものである。
【背景技術】
【０００２】
近年においては流通の国際化も相俟って、ブランド品の高度な偽物も出回り、その対策が重要となってきており、たとえばＩＣタグの物品への装着による方法が有力な方法の一つである。
【０００３】
また、医薬品や化粧品の分野でも模倣品が多く出回り、中でも模倣品の薬による健康被害も報告されており、医薬品メーカーは模倣品を防止する対策として包装容器に蛍光印刷などによる隠し文字や図柄などを配設し（特許文献１参照）、商品の真偽を判別できるようにしている。
【先行技術文献】
【特許文献】
【０００４】
【特許文献１】特開平０９−２５８６６１公報
【０００５】
上記した従来技術は、予め容器の表面に、透明な蛍光インキで模倣防止情報を印刷しておき、可視光線下では視認することが困難である模倣防止情報を、紫外線（ブラックライト）の照射によって蛍光発光させて視認し、この模倣防止情報の有無により商品の真偽を判別できるようにしている。
【０００６】
しかしながら、上記した従来の模倣防止技術では、蛍光インキで印刷された模倣防止情報が商品の表面に設けられているが、商品表面の模倣防止情報からの可視光線のわずかな歪みにより模倣防止情報の存在が簡単に知られてしまい、模倣防止情報の存在が知られると、同じ蛍光インキを用いて模倣防止情報に似せた情報が印刷されて、模倣品が作られてしまう、と云う問題があった。
【発明の概要】
【発明が解決しようとする課題】
【０００７】
そこで、本発明は、上記した従来技術にける問題点を解消すべく創案されたもので、蛍光インキで印刷された模倣防止情報の存在を、可視光線下では視認し難くすることを技術的課題とし、もって信頼性の高い模倣品防止効果を得ることを目的とする。
【課題を解決するための手段】
【０００８】
上記技術的課題を解決するための本発明の主たる構成は、
合成樹脂製射出成形品である外側壁と内側壁の間に蛍光表示体を位置させた多重壁構造体であること、
外側壁と内側壁の少なくとも一方を、透明かつ紫外線透過性とすること、
蛍光表示体に、紫外線の照射により蛍光発光する蛍光インキにより蛍光表示層を形成すること、
この蛍光表示層を可視光線で視認し難く構成すること、
にある。
【０００９】
蛍光表示体は、合成樹脂製射出成形品である外側壁と内側壁の間に位置しているので、成形された外側壁と内側壁の一方の表面に蛍光表示体を位置させた状態で、この一方に対して他方を、蛍光表示体を位置させた表面側に位置させる必要があり、このため製作するに際して、蛍光表示体の取り扱いに関して一定の手順を要することになる。
【００１０】
蛍光表示体は、外側壁と内側壁の間に位置しているので、この蛍光表示体に形成された模倣防止情報を表示する蛍光表示層は、外側壁もしくは内側壁を透して視認されることになるが、蛍光インキで形成された蛍光表示層は可視光線で視認し難く構成されているので、その存在は視認し難い。特に、蛍光表示層からの可視光線は、外側壁もしくは内側壁を透過する際に、この外側壁もしくは内側壁からの光学的影響（歪等）を受けるので、その存在の視認の困難性は高められる傾向となる。
【００１１】
また、外側壁と内側壁の他方が不透明であると、蛍光表示体に対する紫外線の照射の有無に関わりなく、この他方側から蛍光表示体を視認することは不可能となり、蛍光表示体の存在を認識するには一方側から紫外線を照射して観察する必要があり、蛍光表示体の存在を認識するのが面倒で困難とになる。
【００１２】
本発明の別の構成は、上記した主たる構成において、蛍光インキを透明として、蛍光表示層を可視光線で視認し難く構成した、ものである。
【００１３】
蛍光インキを透明としたものにあっては、蛍光インキそのものが可視光線で視認し難いものであるので、この透明な蛍光インキで形成される蛍光表示層は、可視光線で視認し難いものとなる。
【００１４】
また、本発明の別の構成は、上記した主たる構成において、蛍光インキを、蛍光表示層が形成される部分と同色として、蛍光表示層を可視光線で視認し難く構成した、ものである。
【００１５】
蛍光インキを、蛍光表示層が形成される部分と同色としたものにあっては、可視光線下では蛍光表示層が、バックの色の中に溶け込んだ状態で観察されるので、蛍光表示層を可視光線で視認することはきわめて難しい。
【００１６】
また、本発明の別の構成は、上記した主たる構成に加えて、内面に蛍光表示体を固着した外側壁、もしくは外面に蛍光表示体を固着した内側壁の一方をインサート材として、他方をインサート成形した、ものである。
【００１７】
蛍光表示体を固着した外側壁と内側壁の一方をインサート材として、他方をインサート成形したものにあっては、外側壁と内側壁の一体的な組付けが強固にかつ密に達成されると共に、蛍光表示体とインサート成形された他方を、充分に密着組付けすることができるので、この蛍光表示体とインサート成形された他方の密着組付きが不十分であることによる、蛍光表示体の存在を視認し易くなると云う不都合の発生を無くすことができる。
【００１８】
また、本発明の別の構成は、上記した主たる構成に加えて、外側壁もしくは内側壁への蛍光表示体の固着を、インモールド成形により達成した、ものである。
【００１９】
外側壁もしくは内側壁への蛍光表示体の固着を、インモールド成形により達成したものにあっては、外側壁もしくは内側壁と蛍光表示体の固着を、十分に密にかつ強固に達成することができるので、この外側壁もしくは内側壁と蛍光表示体の固着が不十分であることによる、蛍光表示体の存在を視認し易くなると云う不都合の発生を無くすことができる。
【００２０】
また、本発明の別の構成は、上記した主たる構成に加えて、外側壁の外面に、商品名や加飾模様等を表示する加飾表示層を有する加飾表示体を設けると共に、外側壁を不透明とした、ものである。
【００２１】
外側壁の外面に加飾表示体を設けると共に外側壁を不透明としたものにあっては、多重壁構造体の外側から蛍光表示体を視認することは全く不可能であり、その分、模倣者が蛍光表示体の存在を認識し難いことになる。
【００２２】
また、本発明の別の構成は、上記した主たる構成に加えて、商品名や加飾模様等を表示する加飾表示層を有する加飾表示体を、蛍光表示体と一体に設けた、ものである。
【００２３】
商品名や加飾模様等を表示する加飾表示層を有する加飾表示体を、蛍光表示体と一体に設けたものにあっては、一つの表示体により加飾表示と蛍光表示を行うことができる。
【００２４】
また、本発明の別の構成は、加飾表示体を蛍光表示体と一体に設けた構成に加えて、一つのベースシートの外側に、商品名や加飾模様等を表示する加飾表示層を有する加飾表示体を形成すると共に、ベースシートの内側に蛍光表示体を形成し、ベースシートを不透明とした、ものである。
【００２５】
一つのベースシートの外側に加飾表示体を形成すると共に内側に蛍光表示体を形成し、ベースシートを不透明としたものにあっては、多重壁構造体の外側から蛍光表示体を視認することは全く不可能であり、その分、模倣者が蛍光表示体の存在を認識し難いことになる。
【発明の効果】
【００２６】
本発明は、上記した構成となっているので、以下に示す効果を奏する。
本発明の主たる構成にあっては、製作するに際して、蛍光表示体の取り扱いに関して一定の手順を要することになり、このため蛍光表示体の存在を検出しても、この蛍光表示体の取り付けに一定の技術的手順を要し、その分、模倣がし難いことになる。
【００２７】
また、外側壁と内側壁の間に位置している蛍光表示体の蛍光表示層は可視光線で視認し難く構成されているので、外部から可視光線により蛍光表示体の存在を認識することができず、蛍光表示体の高い隠蔽性を得ることができて、蛍光表示体による模倣防止効果を得ることができる。
【００２８】
さらに、外側壁と内側壁の他方が不透明であると、蛍光表示体の存在を認識するのに一定の手順を要することになり、これにより外部から蛍光表示体の存在を認識することは殆どできず、蛍光表示体の高い隠蔽性を得ることができて、蛍光表示体による模倣防止効果を得ることができる。
【００２９】
蛍光インキを透明としたもの、および蛍光インキを、蛍光表示層が形成される部分と同色としたものにあっては、蛍光インキで形成される蛍光表示層を可視光線で視認することを、確実に困難とすることができるので、蛍光表示体そのものの模倣が困難となる。
【００３０】
蛍光表示体を固着した外側壁と内側壁の一方をインサート材として、他方をインサート成形したものにあっては、蛍光表示体とインサート成形された他方の密着組付きが不十分であることによる、蛍光表示体の存在を視認し易くなると云う不都合の発生を無くすことができるので、蛍光表示体の高い隠蔽性を確実に得ることができる。
【００３１】
外側壁もしくは内側壁への蛍光表示体の固着を、インモールド成形により達成したものにあっては、外側壁もしくは内側壁と蛍光表示体の固着が不十分であることによる、蛍光表示体の存在を視認し易くなると云う不都合の発生を無くすことができるので、蛍光表示体の高い隠蔽性を確実に得ることができる。
【００３２】
外側壁の外面に加飾表示体を設けると共に外側壁を不透明としたものにあっては、多重壁構造体の外側から蛍光表示体を視認することは全く不可能であり、その分、模倣者が蛍光表示体の存在を認識し難いことになり、これにより高い確率で蛍光表示体による模倣防止効果を得ることができる。
【００３３】
商品名や加飾模様等を表示する加飾表示層を有する加飾表示体を、蛍光表示体と一体に設けたものにあっては、一つの表示体により加飾表示と蛍光表示を行うことができるので、多重壁構造体に対して表示を簡潔に施すことができる。
【００３４】
一つのベースシートの外側に加飾表示体を形成すると共に内側に蛍光表示体を形成し、ベースシートを不透明としたものにあっては、多重壁構造体の外側から蛍光表示体を視認することは全く不可能であり、その分、模倣者が蛍光表示体の存在を認識し難いことになり、これにより高い確率で蛍光表示体による模倣防止効果を得ることができる。
【図面の簡単な説明】
【００３５】
【図１】本発明の第一の実施形態例を示す、半縦断面図である。
【図２】図１に示した実施形態例の、要部拡大縦断面図である。
【図３】本発明の第二の実施形態例を示す、半縦断面図である。
【図４】図３に示した実施形態例の、要部拡大縦断面図である。
【発明を実施するための形態】
【００３６】
以下、本発明の実施形態を、図面を参照しながら説明する。
図１は、本発明を壜体状の広口クリーム容器に実施した第一の実施形態例を示す半縦断面図で、クリーム容器は、上端開口部を、外周面に螺条を刻設してネジ筒とした有底筒形状に射出成形された合成樹脂製の内側壁２と、この内側壁２の上端開口部を除く外表面を覆って密に組付く有底筒形状に射出成形された合成樹脂製の外側壁１とから構成されている。
【００３７】
また、図３は、本発明を大型のネジキャップに実施した第二の実施形態例を示す半縦断面図で、ネジキャップは、有頂筒形状に射出成形された合成樹脂製の外側壁１と、この外側壁１に外表面全域を覆われて密に組付く筒壁部分の内側に、内面に螺条を刻設した螺筒を垂下状に位置させた有頂筒形状に射出成形された合成樹脂製の内側壁２とから構成されている。
【００３８】
外側壁１と内側壁２の間（両実施形態例共に筒壁部分の間）には、蛍光表示体５が配置されているが、この蛍光表示体５と外側壁１および内側壁２との組付きは、強固でかつ密なものとなっており、特に密着程度が不十分であることによりわずかな隙間が発生することが無いようにしている。これは、蛍光表示体５と外側壁１もしくは内側壁２の間にわずかな隙間が発生すると、この隙間の影響で蛍光表示体５からの可視光線に歪みが発生し、この歪みにより蛍光表示体５の存在が知られてしまうことになるからである。
【００３９】
この蛍光表示体５の外側壁１もしくは内側壁２への組付けは、蛍光表示体５をインモールド材として外側壁１もしくは内側壁２をインモールド成形することにより、強固でかつ密なものとすることが可能となる。
【００４０】
蛍光表示体５（以下、図２および図４参照）は、ベースシート８の一方側に、透明な蛍光インキもしくはベースシート８と同色の蛍光インキで模倣防止情報を印刷し、これを蛍光表示７ａとして表示する蛍光表示層７と、この蛍光表示層７を覆って保護する保護層９と、ベースシート８と蛍光表示層７と保護層９の積層物の両側を覆う接着層１０とから構成されている。
【００４１】
蛍光表示体５の蛍光表示層７は、紫外線（ブラックライト）の照射を受けて蛍光を発光して模倣防止情報である蛍光表示７ａを表示するものであるので、外側壁１と内側壁２の少なくとも一方は、透明かつ紫外線透過性となっており、この透明かつ紫外線透過性となった側から紫外線を照射して蛍光表示７ａを現出させる。
【００４２】
また、蛍光表示体５は外側壁１と内側壁２の間に配置されているので、この蛍光表示体５の蛍光表示層７は、必ず外側壁１もしくは内側壁２を透して視認されることになり、このため蛍光表示層７からの可視光線の透過光線は外側壁１もしくは内側壁２からの影響を受け、これにより蛍光表示層７の存在を可視光線で認識することはきわめて困難となるので、蛍光表示体５による模倣防止効果が有効に発揮されることになる。
【００４３】
図１に示した第一の実施形態例にあっては、蛍光表示体５とは別に、外側壁１の外表面に加飾表示体４が固着されており、この加飾表示体４は、商品名や加飾模様等を表示する加飾表示層６を印刷により形成しており、またこの加飾表示体４をインモールド材として外側壁１をインモールド成形することにより、外側壁１に対する加飾表示体４の組付きを強固でかつ密なものとしている。
【００４４】
第一の実施形態例の加飾表示体４（図２参照）は、内側面に接着層１０を積層したベースシート８の外側面に、構造体の表面に加飾表示６ａを現出する加飾表示層６を印刷形成し、この加飾表示層６を覆って保護層９を積層して構成されており、この加飾表示体４と蛍光表示体５の組合せにより表示体３を構成している。
【００４５】
また、図３に示した第二の実施例にあっては、加飾表示体４と蛍光表示体５を一体にして表示体３を構成しており、ベースシート８の内側面に、蛍光表示層７と保護層９と接着層１０を順に積層して蛍光表示体５を形成すると共に、反対に同じベースシート８の外側面に、加飾表示層６と保護層９と接着層１０を順に積層して加飾表示体４を形成して表示体３を構成している。
【００４６】
この第二の実施形態例にあっては、加飾表示体４が蛍光表示体５と一体となって外側壁１と内側壁２の間に位置しているので、加飾表示６ａを現出させるために外側壁１は透明でなければならない。
【００４７】
第一の実施形態例において、外側壁１が透明かつ紫外線透過性であり、これに加えた蛍光表示体５のベースシート８が透明かつ紫外線透過性である場合には、蛍光表示体５の蛍光表示層７が現出する蛍光表示７ａは、加飾表示６ａと同様に、外側壁１の外表面に現出可能（図３参照）となるが、外側壁１が不透明もしくは紫外線吸収性、または蛍光表示体５のベースシート８が不透明もしくは紫外線吸収性である場合には、蛍光表示７ａは外側壁１の外表面に現出されるのが不可能となり、内側壁２の内表面（図１参照）側だけに現出可能となる。
【００４８】
同様に、第二の実施形態例において、外側壁１が透明かつ紫外線透過性であり、これに加えた蛍光表示体５のベースシート８が透明かつ紫外線透過性である場合には、蛍光表示体５の蛍光表示層７が現出する蛍光表示７ａは、加飾表示６ａと同様に、外側壁１の外表面に現出可能（図３参照）となるが、表示体３のベースシート８が不透明もしくは紫外線吸収性である場合には、蛍光表示７ａは外側壁１の外表面に現出されるのが不可能となり、内側壁２の内表面（図１参照）側だけに現出可能となる。
【００４９】
この蛍光表示７ａが、内側壁２の内表面側だけに現出可能となる場合には、商品の模倣者が、購入した商品に蛍光表示体５があるか否かを検査すべく外側から紫外線を照射しても、蛍光表示体５の存在を検出することができないので、模倣者により蛍光表示体５が模倣される可能性が殆ど無く、これによりきわめて高い模倣防止効果が発揮される。
【００５０】
特に、図２に示された単独に構成された蛍光表示体５のベースシート８、もしくは図４に示された加飾表示体４と蛍光表示体５を一体に構成した表示体３のベースシート８を不透明とした場合には、蛍光表示体５に形成された蛍光表示層７からの可視光線が外側壁１側に照射されることが無いので、模倣者により蛍光表示体５の存在が検知される恐れは全く無くなることになる。
【００５１】
なお、図示した実施形態例は、外側壁１と内側壁２の二重壁構造体となっているが、本発明は二重壁構造に特定されることは無く、二重以上の多重構造であっても良く、さらには積層構造をした壁との組合せも可能である。
【産業上の利用可能性】
【００５２】
以上説明したように本発明の多重壁構造体は、存在を検出し難いあるいは製造を模倣し難い蛍光表示体による、模倣品に係る判別機能を有するものであり、模倣品対策として幅広い利用展開が期待される。
【符号の説明】
【００５３】
１  ；外側壁
２  ；内側壁
３  ；表示体
４  ；加飾表示体
５  ；蛍光表示体
６  ；加飾表示層
６ａ；加飾表示
７  ；蛍光表示層
７ａ；蛍光表示
８  ；ベースシート
９  ；保護層
１０；接着層
【図１】
2011158503.tif 000003
【図２】
2011158503.tif 000004
【図３】
2011158503.tif 000005
【図４】
2011158503.tif 000006